(57)【要約】【課題】本発明は、使用が便利で、エネルギーの損失が少なく、且つ磨耗が少なくて寿命が長いヒンジ装置を提供する。【解決手段】本発明の携帯型電子装置のヒンジ装置は、ボタン蓋と、ボタンと、第一係止部材と、筒状部材と、制御部材と、第一弾性部材と、ロック部材と、第二弾性部材と、従動部材と、ヒンジ軸と、カムと、第二係止部材とを含む。【選択図】図１
2006308100.tif 000002
【特許請求の範囲】
【請求項１】
ボタン蓋と、
係止爪が設けられ、前記ボタン蓋に固定されるボタンと、
中心に孔が設けられている第一係止部材と、
底面に突出部が設けられ、該突出部と隣接する所にボタンの係止爪と合わされる側孔が設けられ、底面の中心に軸孔が設けられている筒状部材と、
端部に前記突出部の一側と当接される係合壁が設けられ、筒状部材の側孔を通してボタンの係止爪と接続される制御部材と、
一端が該制御部材に当接されている第一弾性部材と、
前記制御部材と係合され、前記第一弾性部材の該制御部材に当接されない他端に当接されているロック部材と、
一端が前記筒状部材に当接されている第二弾性部材と、
端部にカム面が設けられ、該カム面が設けられない端面が前記第二弾性部材の他端に当接され、前記ロック部材と係合することができる従動部材と、
外周面にねじ山が設けられ、両端にそれぞれ連結部が設けられているヒンジ軸と、
一端に前記従動部材のカム面と合わされるカム面が設けられ、外周面に凸部が設けられ、軸線上に軸孔が設けられ、且つ軸孔の内壁に前記ヒンジ軸のねじ山と合わされるねじ山が設けられているカムと、
前記第一係止部材と一緒に前記ヒンジ軸の両端に固定される第二係止部材とを含むことを特徴とするヒンジ装置。
【請求項２】
さらに、緩衝部材とバッフルを含み、前記従動部材のカム面が設けられない端部に放置槽が設けられ、且つこの緩衝部材が該放置槽に置かれ、このバッフルが前記第二弾性部材の弾力によって前記緩衝部材に覆われていることを特徴とする請求項１に記載のヒンジ装置。
【請求項３】
前記緩衝部材はボール或いはプラスチックスペーサーであることを特徴とする請求項２に記載のヒンジ装置。
【請求項４】
前記制御部材の一端から延伸して延長部が形成され、前記ロック部材の一端には該制御部材の延長部と合わされる切部が設けられていることを特徴とする請求項１に記載のヒンジ装置。
【請求項５】
前記制御部材に階段状筒部が設けられ、且つこの階段状筒部が前記切部と隣接したことを特徴とする請求項４に記載のヒンジ装置。
【請求項６】
前記第一弾性部材は、直径が前記階段状筒部の内径より大きく、前記階段状筒部の外径より小さく、該階段状筒部に当接されることを特徴とする請求項５に記載のヒンジ装置。
【請求項７】
前記ヒンジ装置はスリーブを含み、且つこのスリーブの内壁にはカムの凸部と合わされる長条状槽が設けられていることを特徴とする請求項１に記載のヒンジ装置。
【請求項８】
係合壁が設けられている筒状部材と、
一端に該筒状部材の係合壁と脱離可能であるように係合されている係合部が設けられている制御部材と、
前記制御部材を付勢する第一弾性部材と、
第二弾性部材と、
一端にカム面が設けら、前記制御部材に相対移動不可に固定されている従動部材と、
外周面にねじ山が設けられ、両端部にそれぞれ連結部が設けられているヒンジ軸と、
前記第二弾性部材の弾力によって前記従動部材のカム面と当接するカム面が一端面に設けられ、軸線上には軸孔が設けられ、且つ軸孔の内壁にヒンジ軸のねじ山と合わされるねじ山が設けられているカムとを含むことを特徴とするヒンジ装置。
【発明の詳細な説明】
【技術分野】
【０００１】
本発明はヒンジ装置に関するものであり、特に折り畳み式の携帯型電子装置に使用し、且つ自動的に開閉できるヒンジ装置に関するものである。
【背景技術】
【０００２】
近年、デジタルの技術の発展によって、携帯電話、ピーディーエー（Ｐｅｒｓｏｎａｌ  Ｄｉｇｉｔａｌ  Ａｓｓｉｓｔａｎｃｅ）等の携帯型電子装置が多くの人々に使用されている。携帯型電子装置において、カバーが機器本体に対して折り畳まれるような折り畳み式の携帯型電子装置は、構造が簡単であり、外形が斬新であるから、広く使用されている。
【０００３】
折り畳み式の携帯型電子装置は、通常、ヒンジ装置を通してカバーを機器本体に連結する。従来のヒンジ装置は、通常、ヒンジ軸、カム、従動部、スプリングなどを備えている。このヒンジ装置において、ヒンジ軸はスプリングの中心を貫通し、カム（又は従動部）はスプリングの一端に直接的に圧接されている。カムと従動部はスプリングの弾力によって常に圧接されている。このヒンジ装置において、もしスプリングの弾力を越えると、該カムのカム面が従動部のカム面と相対して回転することができるから、折り畳み式の携帯型電子装置の開閉を実現できる
【０００４】
上述のヒンジ装置の装着された携帯型電子装置を使用する時、通常、両手で携帯型電子装置のカバーを開く。即ち電話に出るか電話を掛ける時、片手で容易に操作することができないから、携帯型電子装置の使用が不便になる。且つカムとヒンジ軸との間にスライド摩擦が生じるから、ヒンジ装置が容易に磨耗され、寿命が短くなる。また、スプリングが従動部に圧接され、従動部がスプリングの弾力を越えながら回転するから、エネルギー損失が多くなる。
【発明の開示】
【発明が解決しようとする課題】
【０００５】
本発明の目的は、上記のこうした課題を解決する携帯型電子装置に使用するヒンジ装置を提供することである。
【課題を解決するための手段】
【０００６】
前記の目的を達成するために、本発明にかかるヒンジ装置は、ボタン蓋と、係止爪が設けられ、前記ボタン蓋に固定されるボタンと、中心に孔が設けられている第一係止部材と、底面に突出部が設けられ、該突出部と隣接する所にボタンの係止爪と合わされる側孔が設けられ、底面の中心に軸孔が設けられている筒状部材と、端部に前記突出部の一側と当接される係合壁が設けられ、筒状部材の側孔を通してボタンの係止爪と接続される制御部材と、一端が該制御部材に当接されている第一弾性部材と、前記制御部材と係合され、前記第一弾性部材の該制御部材に当接されない他端に当接されているロック部材と、一端が前記筒状部材に当接されている第二弾性部材と、端部にカム面が設けられ、該カム面が設けられない端面が前記第二弾性部材の他端に当接され、前記ロック部材と係合することができる従動部材と、外周面にねじ山が設けられ、両端にそれぞれ連結部が設けられているヒンジ軸と、一端に前記従動部材のカム面と合わされるカム面が設けられ、外周面に凸部が設けられ、軸線上に軸孔が設けられ、且つ軸孔の内壁に前記ヒンジ軸のねじ山と合わされるねじ山が設けられているカムと、前記第一係止部材と一緒に前記ヒンジ軸の両端に固定される第二係止部材とを含む。
【０００７】
本発明にかかるヒンジ装置は、緩衝部材とバッフルをさらに含み、且つこの緩衝部材はカム面が設けられない従動部材の他端面に設けられている放置槽に置かれ、このバッフルは第二弾性部材の弾力によって前記緩衝部材に覆われている。
【発明の効果】
【０００８】
本発明にかかるヒンジ装置は、片手でボタン蓋を押すと、制御部材のロック状態が解除され、従って第二弾性部材の弾力によってカムがヒンジ軸の上で螺旋状に回転する。この時、携帯のカバーがカムに連動されて回転するから、携帯のカバーが完全に開ける。即ち片手で携帯電話のカバーを容易に開くことができるから、携帯の使用が便利になる。
【０００９】
又、従動部と第二弾性部材の間に緩衝部材が設けられているから、第二弾性部材が直接的に従動部に接続されるのを防止し、エネルギーの損失を減らすことができる。且つ第二弾性部材が直接的に従動部に接続されないから、ヒンジ装置の磨耗が少なくなり、寿命が長くなる。
【発明を実施するための最良の形態】
【００１０】
以下の第一実施形態と第二実施形態で記述するヒンジ装置は、カバーが機器本体に対して回転できる折り畳み式の携帯型電子装置（図未示）に適用する。以下、ヒンジ装置をカバーが機器本体に対して回転できる折り畳み式携帯電話に使用されることを例にして説明する。
【００１１】
図１と図２を参照すると、本発明の第一実施形態に係るヒンジ装置は、第一係止部材１００と、筒状部材５と、制御部材６と、第一弾性部材７と、ロック部材８と、第二弾性部材９と、バッフル２００と、ボール２５０と、従動部材３００と、カム４００と、ヒンジ軸２０と、スリーブ６０と、第二係止部材７０とを備える。
【００１２】
この第一係止部材１００は、中心に変形孔１１０が設けられている略円盤体である。
【００１３】
一緒に図３を参照すると、上述の筒状部材５は、外周壁５１０と底面５２０を含み、且つこの底面５２０によって筒状部材５の一端が密封され、他端が開口されている略筒状体である。筒状部材５の開口端には、軸線に沿って形成され、互いに対称となる２つの切欠部５３０設けられている。底面５２０には、ヒンジ軸２０が通る軸孔５４０が設けられている。軸孔５４０と隣接した軸孔５４０の両側には、ボタン３の係止爪３１と係合する２つの側孔５５０がそれぞれ設けられている。
【００１４】
上述の底面５２０には、開口端を向き、互いに対称となる２つの突出部５６０が設けられている。この突出部５６０は、側孔５５０と隣接し、外周壁５１０にしっかり貼り付けられている。外周壁５１０の外周面には、携帯電話本体と係合して、携帯電話本体と筒状部材５の間の相対回転を防止する止転槽５７０が設けられている。
【００１５】
上述の制御部材６も略筒状体である。制御部材６の一端に互いに相対する２つの側槽６１が設けられ、且つこの側槽６１と隣接する所に係合壁６２が設けられている。制御部材６の側槽６１は筒状部材５の突出部５６０と係合し、係合壁６２が筒状部材５の２つの突出部５６０の間に挿入されると、制御部材６が筒状部材に係合される。係合壁６２の内径は制御部材６の筒状体の内壁より小さい。
【００１６】
側槽６１が設けられない制御部材６の他端には、端面から延長され、且つ互いに相対する２つの延長部６３が設けられている。この延長部６３の根部の外周面には突出塊６４が設けられている。この突出塊６４は、筒状部材５の切欠部５３０と係合して、制御部材６と筒状部材５の間の係合を更に安定させる。
【００１７】
上述の第一弾性部材７は円柱状スプリングである。第一弾性部材７の直径は、制御部材６の筒状の直径と大体同様であるが、係合壁６２の内径より大きいから、第一弾性部材７の一端が制御部材６の係合壁６２の一端に当接することができる。
【００１８】
上述のロック部材８は略筒状体である。ロック部材８の一端面には、端面から延長され、互いに対称となる２つの階段状筒部８１が設けられている。且つ階段状筒部８１と隣接する所には切部８２が設けられている。上述の制御部材６の延長部６３がロック部材８の切部８２に係合すると、制御部材６がロック部材８に固定される。階段状筒部８１の内径が第一弾性部材７の直径より小さく、階段状筒部８１の外径が第一弾性部材７の直径より大きいから、第一弾性部材７の他端が階段状筒部８１の端面に当接することができる。
【００１９】
階段状筒部８１が設けられないロック部材８の他端面には、端面から延長して形成される２つの凸壁８３と２つの凸壁８３の間にそれぞれ形成した２つの矩形槽８４が設けられている。
【００２０】
上述の第二弾性部材９は円柱状スプリングであり、ヒンジ軸２０が第二弾性部材９の中心を通る。
【００２１】
図４を参照すると、上述のバッフル２００は、ボール２５０を覆うことができる金属制環状スペーサーである。
【００２２】
上述のボール２５０は複数の球体で構成される。
【００２３】
上述の従動部材３００は略中空円柱体である。従動部材３００の一端には、端面から延長されて形成される２つの係合部３１５と係合部３１５の両側にそれぞれ形成された２つの係合槽３１６が設けられている。この係合部３１５はロック部材８の矩形槽８４と係合し、係合槽３１６はロック部材８の凸壁８３と係合して、従動部材３００とロック部材８を相対回転不可に係合する。係合部３１５が設けられない従動部材３００の他端面には、突出峰３１７２と凹谷３１７３を含むカム面３１７が設けられている。
【００２４】
従動部材３００の内部には階段孔３１８が設けられているので、カム面３１７が設けられている一端の内径が相対端の内径より大きい。階段孔３１８の端面には、ボール２５０を装着する放置槽３１９が設けられている。上述したバッフル２００は、第二弾性部材９の弾力によってボール２５０に圧接されている。ボール２５０を使用すると、第二弾性部材９と従動部材３００の間のスライド摩擦を回転摩擦に変化させるから、第二弾性部材９と従動部材３００のエネルギーを節約することができる。
【００２５】
上述のカム４００は略円柱体である。カム４００の一端面には、従動部材３００のカム面３１７と接続するカム面４３３が設けられている。カム４００の軸線上には通孔４３４が設けられ、通孔４３４の内壁にはねじ山４３４２が設けられている。カム４００の外周面には、互いに平行な２つの凸塊４３５が設けられている。
【００２６】
図５を参照すると、組み立てる時、カム４００をヒンジ軸２０に挿入して、カム４００のねじ山４３４２とヒンジ軸２０のねじ山２３３が合わされるようにする。ヒンジ軸２０の末端２３までカム４００を回転して装着した後、ヒンジ軸２０の変形部２１から従動部材３００をヒンジ軸２０に装着して、従動部材３００のカム面３１７とカム４００のカム面４３３が当接されるようにする。
【００２７】
ボール２５０を従動部材３００の放置槽３１９に装着し、バッフル２００でボール２５０の上に覆う。第二弾性部材９をヒンジ軸２０の上に装着し、第二弾性部材９の一端がバッフル２００に圧接されるようにする。ロック部材８の凸壁８３を従動部材３００の係合槽３１６に係合し、従動部材３００の係合部３１５をロック部材８の矩形槽８４に係合して、ロック部材８と従動部材３００を相対回転不可に係合する。
【００２８】
その後、第一弾性部材７と制御部材６を順序通りにヒンジ軸２０の上に装着して、第一弾性部材７の一端がロック部材８の階段状筒部８１に当接され、他端が制御部材６の係合壁６２に当接されるようにする。且つ制御部材６の延長部６３をロック部材８の切部８２に係合して、制御部材６とロック部材８を相対回転不可に係合する。
【００２９】
筒状部材５をヒンジ軸２０の上に装着して、第二弾性部材９の他端が筒状部材５の底面５２０に当接されるようにする。その時、ヒンジ軸２０の変形部２１が筒状部材５の軸孔５４０から伸びる。同時に筒状部材５の突出部５６０を制御部材６の側槽６１に係合して、筒状部材５と制御部材６を相対回転不可に係合する。
【００３０】
第一係止部材１００をヒンジ軸２０の環槽２１２に装着して、上述した部材をヒンジ軸２０に固定する。
【００３１】
上述した通りに装着した部材をスリーブ６０の中に挿入して、カム４００の凸塊４３５がスリーブ６０の長い槽６５に入るようにすると、ヒンジ軸２０の固定端２３４がスリーブ６０の半密封端から伸びる。その時、準備した第二固定部材７０をヒンジ軸２０の固定端２３４に係合すると、ヒンジ装置の組み立てが完了する。
【００３２】
組み立てたヒンジ装置を携帯電話に装着する時、筒状部材５の止転槽５７０が携帯電話の本体に係合され、スリーブ６０の止転塊６６が携帯電話のカバーに係合される。携帯電話のカバーが閉じている時、第二弾性部材９に所定の圧縮弾力があるから、従動部材３００がカム４００に当接されるように付勢する。その時、カム４００はヒンジ軸２０のねじ山２３３によって回転の傾向が現れるが、制御部材６が止転するから、カム４００が回転できない。第一弾性部材７には所定の圧縮弾力を設けてもよく、設けなくてもよい。
【００３３】
使用者が片手で携帯電話を操作する時、外力を利用して制御部材６のロック状態を解除する。制御部材６の係合壁６２を推進すると、制御部材６が軸線に沿って移動し、且つ第一弾性部材７も制御部材６に連動されてカム４００の方向へ移動される。その時、ロック部材８は移動せず、第一弾性部材７に弾性エネルギーが溜められる。制御部材６の係合壁６２が筒状部材５の突出部５６０の制限を離れると、カム４００がヒンジ軸２０のねじ山２３３と相対して回転することができる。
【００３４】
カム４００が回転する時に、従動部材３００、ロック部材８、第一弾性部材７及び制御部材６等がカム４００に連動されて、右へ移動するのと同時に回転する。この時、スリーブ６０もカム４００に連動されて一緒に回転するから、携帯電話のカバーが開く方向へ回転することができる。もし携帯電話のカバーが完全に開くと、カム４００の回転が停止する。この時、第一弾性部材７に弾性エネルギーが溜められるから、制御部材６を反対方向へ推進して左へ移動させるようにする。そして制御部材６の係合壁６２が再び筒状部材５の２つの突出部５６０の間に係合される。
【００３５】
手で携帯電話のカバーを閉じる時、カバーに連動されてスリーブ６０とカム４００が一緒に回転する。カム４００はヒンジ軸２０のねじ山２３３によって、回転するのと同時に軸線方向へ移動する。制御部材６は筒状部材５の突出部５６０に係合されているから、回転できず、従って、制御部材６に連結されているロック部材８及び従動部材３００も回転できない。カム４００のカム面４３３が左へ従動部材３００を推進することができるため、カム４００が従動部材３００の突出峰３１７２を越える時、第二弾性部材９に一定のエネルギーが溜められ、付勢する事を停止する。第二弾性部材９の弾力によってカム４００は従動部材３００と相対して回転し、カム面３１７の凹谷３１７３まで自動的にスライドすることができる。そして携帯電話のカバーが完全に閉じられる。
【００３６】
本発明の第一実施形態に係るヒンジ装置１０は手で開くこともできるため、この原理は携帯電話のカバーを閉じるのと類似している。
【００３７】
図６と図７を参照すると、本発明の第二実施形態に係るヒンジ装置は、ボタン蓋２と、ボタン３と、第一係止部材４と、筒状部材５と、制御部材６と、第一弾性部材７と、ロック部材８と、第二弾性部材９と、バッフル２００と、ボール２５０と、従動部材３００と、カム４００と、ヒンジ軸２０と、スリーブ６０と、第二係止部材７０とを備える。
【００３８】
上述のボタン蓋２は、密封端２１０と開口端２２０を含む略筒状体である。ボタン蓋２の内部には密封端２１０から開口端２２０の方向へ一定に延長され、互いに対称となる２つの凸部２３０が設けられている。ボタン蓋２の開口端２２０には、凸部２３０の方向と相対される２つの凹槽２４０が設けられている。
【００３９】
ボタン３は、外形がボタン蓋２の内部形状と相似する板状体である。ボタン３は、ボタン蓋２の凹槽２４０を通して、ボタン蓋２の中に収納されている。第二実施形態で、ボタン３をボタン蓋２の中に貼り付ける方法で、ボタン３をボタン蓋２中に固定する。ボタン３の両側には軸線を沿って延長される係止爪３１が設けられ、係止爪３１の根部の付近には２つの係合孔３２が設けられている。この係合孔３２はボタン蓋２の凸部２３０と係合することができる。
【００４０】
上述の第一係止部材４は、中心に変形孔４１が設けられている略円盤体である。
【００４１】
第二実施形態の筒状部材５、制御部材６、第一弾性部材７、ロック部材８、第二弾性部材９、バッフル２００、ボール２５０、従動部材３００、カム４００、ヒンジ軸２０、スリーブ６０、第二係止部材７０等部材は、第一実施形態で上述した構造と同じであるから、ここで再び記述しない。
【００４２】
図８と図９を参照すると、組み立てる時、カム４００をヒンジ軸２０の末端２３に装着した後、ヒンジ軸２０の変形部２１から従動部材３００をヒンジ軸２０に装着して、従動部材３００のカム面３１７とカム４００のカム面４３３が当接されるようにする。
【００４３】
第二弾性部材９をヒンジ軸２０の上に装着し、第二弾性部材９の一端がバッフル２００に当接されるようにする。ロック部材８の凸壁８３を従動部材３００の係合槽３１６に係合し、従動部材３００の係合部３１５をロック部材８の矩形槽８４に係合して、ロック部材８と従動部材３００を相対回転不可に係合する。
【００４４】
その後、第一弾性部材７と制御部材６を順序通りにヒンジ軸２０の上に装着して、第一弾性部材７の一端がロック部材８の階段状筒部８１に当接し、他端が制御部材６の係合壁６２に当接されるようにする。且つ制御部材６の延長部６３をロック部材８の切部８２に係合して、制御部材６とロック部材８を相対回転不可に係合する。
【００４５】
筒状部材５をヒンジ軸２０の上に装着して、第二弾性部材９の他端が筒状部材５の底面５２０に当接されるようにする。その時、ヒンジ軸２０の変形部２１が筒状部材５の軸孔５４０から伸ばす。筒状部材５の突出部５６０を制御部材６の側槽６１に係合して、筒状部材５と制御部材６を相対回転不可に係合する。
【００４６】
第一係止部材４をヒンジ軸２０の環槽２１２に装着して、上述した部材をヒンジ軸２０に固定する。ボタン蓋２の凸部２３０がボタン３の係合孔３２を通るように、ボタン３をボタン蓋２の中に貼り付ける。その時、ボタン３の係止爪３１は、筒状部材５の側孔５５０を通して、制御部材６の係合壁６２に係合される。
【００４７】
上述の通りに装着した部材をスリーブ６０の中に挿入して、カム４００の凸塊４３５がスリーブ６０の長い槽６５に入るようにすると、ヒンジ軸２０の固定端２３４がスリーブ６０の半密封端から伸びる。その時、準備した第二固定部材７０をヒンジ軸２０の固定端２３４に係合すると、ヒンジ装置の組み立てが完了する。
【００４８】
使用者が片手で携帯電話を操作する時、ボタン蓋２を押すと、ボタン３の係止爪３１が連動されるばかりでなく、その他の部材と連動されるから、携帯電話のカバーが開くことができる。これは第一実施形態で上述した原理と同じであるから、ここで再び記述しない。
【００４９】
以下は本発明のその他の実施形態である。
【００５０】
上述の第二弾性部材９が直接的に第一係止部材４に当接することもできる。
【００５１】
上述のボール２５０はその他の緩衝体に代えることができ、例えばプラスチックスペーサー、潤滑油の等である。
【００５２】
第一実施形態で記述したヒンジ装置で、制御部材６を容易に制御するため、第二実施形態で記述したようなボタン３を装着することができる。
【００５３】
第一実施形態と第二実施形態で記述したヒンジ装置で、ロック部材８を省略することができ、すると制御部材６と従動部材３００が直接的に接続し、第一弾性部材７及び第二弾性部材９が直接的に従動部材３００と当接する。
【００５４】
上述の第一弾性部材７及び第二弾性部材９は、スプリングではなく、弾性スポンジ等に代えることができる。
【００５５】
第一実施形態と第二実施形態で記述したヒンジ装置で、スリーブ６０を省略することができ、するとカム４００が直接的に携帯電話のカバーに係合される。
【００５６】
上述の筒状部材５の止転槽５７０を第一係止部材４に設けることもできる。
【００５７】
上述の筒状部材５の突出部５６０、切欠部５３０等の構造、制御部材６の側槽６１、係合壁６２、突出塊６４の構造をその他の形態に代えることができるが、筒状部材５と制御部材６の間のロック或いはロック解除を実現できさえすれば、どんな構造に代わってもいい。
【００５８】
上述のヒンジ軸２０の両端に設けられる環槽２１２と固定端２３４の構造をその他の形態に代えることができる。例えばヒンジ軸２０の両端にねじ山を設けるか、或いはヒンジ軸２０の一端にフランジを設け、他端は続く係止部材で係止する。
【００５９】
上述のヒンジ軸２０の両端に設けられる連結部（環槽２１２或いは固定端２３４を指す）を直接的に携帯電話のカバー或いは本体に連結する。
【００６０】
上述のヒンジ軸２０の両端に係合される第一係止部材４或いは第二係止部材７０の構造もその他の形態に代えることができる。
【００６１】
上述の第一係止部材４に携帯電話の本体と係合する止転槽を設けることもできる。
【図面の簡単な説明】
【００６２】
【図１】本発明の第一の実施形態に係るヒンジ装置の立体分解図である。
【図２】本発明の第一の実施形態に係るヒンジ装置を他の方向へ見た立体分解図である。
【図３】本発明の第一の実施形態に係るヒンジ装置の筒状部材を示す立体図である。
【図４】本発明の第一の実施形態に係るヒンジ装置のバッフル、ボール及び従動部材を示す立体図である。
【図５】本発明の第一の実施形態に係るヒンジ装置の断面図である。
【図６】本発明の第二の実施形態に係るヒンジ装置の立体分解図である。
【図７】本発明の第二の実施形態に係るヒンジ装置を他の方向へ見た立体分解図である。
【図８】本発明の第二の実施形態に係るヒンジ装置の組み立てる状態を示す立体図である。
【図９】本発明の第二の実施形態に係るヒンジ装置で重要な部材を組み立てた状態を示す立体図である。
【符号の説明】
【００６３】
２  ボタン蓋
２１０  密封端
２２０  開口端
２３０  凸部
２４０  凹槽
３  ボタン
３１  係止爪
３２  係合孔
５  筒状部材
５１０  外周壁
５２０  底面
５３０  切欠部
５４０  軸孔
５５０  側孔
５６０  突出部
５７０  止転槽
６  制御部材
６１  側槽
６２  係合壁
６３  延長部
６４  突出塊
７  第一弾性部材
８  ロック部材
８１  階段状筒部
８２  切部
８３  凸壁
８４  矩形槽
９  第二弾性部材
２００  バッフル
２５０  ボール
３００  従動部材
３１５  係合部
３１６  係合槽
３１７  カム面
３１７２  突出峰
３１７３  凹谷
３１８  階段孔
３１９  放置槽
４００  カム
４３３  カム面
４３４  通孔
４３４２  ねじ山
４３５  凸塊
２０  ヒンジ軸
２１  変形部
２１２  環槽
２３  末端
２３３  ねじ山
２３４  固定端
３４２  ねじ山
６５  長い槽
６６  止転塊
７０  第二係止部材
１００、４  第一係止部材
１１０、４１  変形孔
【図１】
2006308100.tif 000003
【図２】
2006308100.tif 000004
【図３】
2006308100.tif 000005
【図４】
2006308100.tif 000006
【図５】
2006308100.tif 000007
【図６】
2006308100.tif 000008
【図７】
2006308100.tif 000009
【図８】
2006308100.tif 000010
【図９】
2006308100.tif 000011